(57)【要約】【課題】構造が簡単で、携帯や使用に便利であり、和式便器を使用した時のような、足の力が不十分でバランスがよくないために転倒して怪我をする問題を効果的に回避することができる、携帯型折り畳み便座椅子を提供することを課題とする。【解決手段】本発明に係る携帯型折り畳み便座椅子は、座体セット、支持板セット及び側板セットを含む。座体セットは、互いに枢支接続される第１の座体及び第２の座体を含む。第１の座体と第２の座体との間に便座孔が設けられている。座体セット、支持板セット及び側板セットは互いに接続される。【選択図】図１
2015123370.tif 000002
【特許請求の範囲】
【請求項１】
互いに枢支接続される第１の座体及び第２の座体を含み、前記第１の座体と前記第２の座体との間に便座孔が設けられている座体セットと、
頂端がそれぞれ前記第１の座体の側辺及び前記第２の座体の側辺と枢支接続される第１の支持板及び第２の支持板を含む支持板セットと、
２つの内側辺が互いに枢支接続される第１の側板と、２つの内側辺が互いに枢支接続される第２の側板とを含み、前記第１の側板の外側辺がそれぞれ前記第１の支持板及び前記第２の支持板の一側に枢支接続され、前記第２の側板の外側辺がそれぞれ前記第１の支持板及び前記第２の支持板の他側に枢支接続される側板セットと、
を含むことを特徴とする携帯型折り畳み便座椅子。
【請求項２】
選択的に折り畳みと組み立てが行われ、
組み立てられた場合、前記第１の座体と前記第２の座体とが水平状に展開され、前記第１の側板と前記第２の側板とがそれぞれ前記第１の支持板と前記第２の支持板との間に展開され、
折り畳まれた場合、前記第１の座体と前記第２の座体とが互いに重なり合い、前記第１の支持板と前記第２の支持板とが互いに重なり合い、前記第１の側板と前記第２の側板とがそれぞれ前記第１の支持板と前記第２の支持板との間に互いに重なり合うことを特徴とする請求項１に記載の携帯型折り畳み便座椅子。
【請求項３】
前記第１の座体の底部及び前記第２の座体の底部の両側にそれぞれ係合溝が設けられており、
前記第１の側板の上端及び前記第２の側板の上端にそれぞれ２つの凸部が設けられており、
組み立てられた場合、前記凸部が前記係合溝内に嵌め合わされ、
折り畳まれた場合、前記凸部が前記係合溝から離脱することを特徴とする請求項１に記載の携帯型折り畳み便座椅子。
【請求項４】
前記支持板セットの底部及び前記側板セットの底部に滑り止め構造が設けられていることを特徴とする請求項１に記載の携帯型折り畳み便座椅子。
【請求項５】
前記第１の支持板及び前記第２の支持板に警告標識シールが設けられていることを特徴とする請求項１に記載の携帯型折り畳み便座椅子。
【請求項６】
前記座体セットの底部に複数のフックが設けられていることを特徴とする請求項１に記載の携帯型折り畳み便座椅子。
【請求項７】
前記座体セット、前記支持板セット及び前記側板セットはプラスチック部材であることを特徴とする請求項１に記載の携帯型折り畳み便座椅子。
【請求項８】
前記第１の座体と前記第２の座体との間に着座部が設けられていることを特徴とする請求項１に記載の携帯型折り畳み便座椅子。
【請求項９】
前記座体セットの下方に、前記支持板セット及び前記側板セットの下方に位置するトレイが設けられることを特徴とする請求項１に記載の携帯型折り畳み便座椅子。
【発明の詳細な説明】
【技術分野】
【０００１】
本発明は、折り畳み便座椅子に関し、特に携帯及び使用に便利な携帯型折り畳み便座椅子に関する。
【背景技術】
【０００２】
現在、一般的に使用されている便器は、概ね洋式及び和式の２種類に分けられる。但し、洋式便器には病原菌に接触感染する懸念があり、公共の場所におけるトイレでは、衛生の観点から和式便器が採用されることが多い。
【０００３】
和式便器は、使用者が病原菌に接触感染することがなく、公共衛生の目的を果たすことができるが、幼児や体の不自由な人及びお年寄りが和式便器で用を足す場合、足の力が不十分であったり、バランスがよくないために、不注意により転倒して怪我をする可能性がある。従って、和式便器は、その使用面において不便な点がある。
【０００４】
従来の折り畳み椅子は、収納及び携帯に便利であるものの、使用者が座ったり、高い場所にある物品を取るため又は洗車等をするためにその上に立ったりする用途に用いられるに過ぎず、使用範囲は制限されている。また、従来の便器椅子は、外出時に携帯して使用することができるものの、折り畳むことができなかったり、或いは折り畳んだ後、嵩張るために場所を取る問題があった。
【発明の概要】
【発明が解決しようとする課題】
【０００５】
本発明は、構造が簡単で、携帯や使用に便利であり、和式便器を使用した時のような、足の力が不十分でバランスがよくないために転倒して怪我をする問題を効果的に回避することができる、携帯型折り畳み便座椅子を提供することを課題とする。
【課題を解決するための手段】
【０００６】
上述した課題を解決するために、本発明に係る携帯型折り畳み便座椅子は、互いに枢支接続される第１の座体及び第２の座体を含み、前記第１の座体と前記第２の座体との間に便座孔が設けられている座体セットと、頂端がそれぞれ前記第１の座体の側辺及び前記第２の座体の側辺と枢支接続される第１の支持板及び第２の支持板を含む支持板セットと、２つの内側辺が互いに枢支接続される第１の側板と２つの内側辺が互いに枢支接続される第２の側板とを含み、前記第１の側板の外側辺がそれぞれ前記第１の支持板及び前記第２の支持板の一側に枢支接続され、前記第２の側板の外側辺がそれぞれ前記第１の支持板及び前記第２の支持板の他側に枢支接続される側板セットと、を含むことを特徴とする。
【発明の効果】
【０００７】
本発明によれば、幼児や体の不自由な人及びお年寄りが和式便器を使用した場合、しっかりと着座することができ、使用者の足に過大な負担をかけることがなく、足の力が不十分でバランスがよくないことを起因とした、不注意による転倒及び怪我を回避することができるため、楽に且つ安全に用を足すことが可能となる。
【０００８】
本発明は、使用方法が簡単で、操作しやすく、使用しない場合は折り畳んで収納することができるため、場所を取らず且つ携帯に便利である。
【図面の簡単な説明】
【０００９】
【図１】本発明に係る携帯型折り畳み便座椅子の第１の実施例を示す分解斜視図である。
【図２】本発明に係る携帯型折り畳み便座椅子の第１の実施例を示す斜視図である。
【図３】本発明に係る携帯型折り畳み便座椅子の第１の実施例における、凸部が係合溝に嵌め合わされることを示す斜視図である。
【図４】本発明に係る携帯型折り畳み便座椅子の第１の実施例における枢支接続体及び枢支接続溝を示す斜視図である。
【図５】本発明に係る携帯型折り畳み便座椅子の第１の実施例における座体セットを示す斜視図である。
【図６】本発明に係る携帯型折り畳み便座椅子の第２の実施例における警告標識シールを示す斜視図である。
【図７】本発明に係る携帯型折り畳み便座椅子の第３の実施例を示す斜視図である。
【図８】本発明におけるジッパー付袋を示す斜視図である。
【発明を実施するための形態】
【００１０】
＜第１の実施例＞
図１及び図２に示すように、本発明に係る携帯型折り畳み便座椅子は、座体セット１、支持板セット３及び側板セット４を含む。好ましくは、座体セット１はプラスチック部材であるが、これに限定されない。座体セット１は、互いに枢支接続される第１の座体１１及び第２の座体１２を含む。第１の座体１１と第２の座体１２との間に便座孔２及び着座部２１が設けられている。便座孔２の形状は、円形、楕円形、長楕円形又はＤ字形等であってもよく、制限されない。折り畳み椅子を和式便器上方に置いた場合、使用者が座体セット１に着座して排泄物を便座孔２を通じて流水路（図略）に排出することができるように、便座孔２は和式便器の流水路に対応して位置する。着座部２１は、第１の座体１１及び第２の座体１２の頂面から突出すると共に、便座孔２の外周に位置している。また、着座部２１は省略することもできる。
【００１１】
好ましくは、支持板セット３はプラスチック部材であるが、これに限定されない。支持板セット３は、頂端がそれぞれ第１の座体１１の側辺及び第２の座体１２の側辺と枢支接続される第１の支持板３１及び第２の支持板３２を含む。
【００１２】
好ましくは、側板セット４はプラスチック部材であるが、これに限定されない。側板セット４は、２つの内側辺が互いに枢支接続される第１の側板４１と、２つの内側辺が互いに枢支接続される第２の側板４２とを含む。第１の側板４１の外側辺は、それぞれ第１の支持板３１及び第２の支持板３２の一側に枢支接続され、第２の側板４２の外側辺は、それぞれ第１の支持板３１及び第２の支持板３２の他側に枢支接続される。
【００１３】
本発明に係る携帯型折り畳み便座椅子は、選択的に折り畳みと組み立てが行われる。本発明に係る携帯型折り畳み便座椅子が組み立てられた場合、使用者が着座できるように第１の座体１１と第２の座体１２とが水平状に展開され、第１の側板４１と第２の側板４２とがそれぞれ第１の支持板３１と第２の支持板３２との間に展開される。本発明に係る携帯型折り畳み便座椅子が折り畳まれた場合、第１の座体１１と第２の座体１２とが互いに重なり合い、第１の支持板３１と第２の支持板３２とが互いに重なり合い、第１の側板４１と第２の側板４２とがそれぞれ第１の支持板３１と第２の支持板３２との間に互いに重なり合う。
【００１４】
図１及び図３に示すように、第１の座体１１の底部及び第２の座体１２の底部の両側にそれぞれ係合溝１３が設けられている。第１の側板４１の上端及び第２の側板４２の上端にそれぞれ２つの凸部４３が設けられている。本発明に係る携帯型折り畳み便座椅子が組み立てられた場合、凸部４３が係合溝１３内に嵌め合わされる。これにより、第１の側板４１及び第２の側板４２が第１の座体１１の底部及び第２の座体１２底部を支持し、更に、第１の支持板３１及び第２の支持板３２がそれぞれ第１の座体１１の底部及び第２の座体１２の底部を支持する。本発明に係る携帯型折り畳み便座椅子が折り畳まれた場合、凸部４３が係合溝１３から離脱する。
【００１５】
上述した座体セット１、支持板セット３及び側板セット４同士の枢支接続方式は、対応する枢支接続体及び枢支接続溝、ヒンジ又はそれらの組み合わせであってもよく、制限されず、必要に応じて適宜変更を加えることができる。例えば、枢支接続体及び枢支接続溝の位置は交換することができ、又は他の凹凸を組み合わせた構造によって置き換えてもよい。
【００１６】
図４に示すように、本実施例において、第１の支持板３１と第１の側板４１とは、互いに対応する枢支接続体５及び枢支接続溝６によって接続される。即ち、第１の支持板３１の一側に複数の枢支接続体５が設けられており、枢支接続体５の両端にそれぞれ凸軸５１が設けられている。第１の側板４１の第１の支持板３１に対応する一側に複数の枢支接続溝６が設けられており、枢支接続溝６の両端にそれぞれ軸孔６１が設けられている。軸孔６１に凸軸５１が入れられることによって、第１の支持板３１と第１の側板４１とが接続される。一方、座体セット１、支持板セット３及び側板セット４同士についても同様の方式で接続されるが、ここでは詳しい説明を省略する。
【００１７】
図１に示すように、支持板セット３の底部及び側板セット４の底部には、地面との摩擦によって滑り止めの効果を奏するように、滑り止め構造７が更に設けられてもよい。滑り止め構造７は、支持板セット３の底部及び側板セット４の底部に嵌め込まれ若しくは貼着される滑り止めパッドであってもよく、又はそれぞれ支持板セット３及び側板セット４と一体成形とした滑り止めリブであってもよく、制限されない。
【００１８】
図５に示すように、本発明に係る携帯型折り畳み便座椅子は、複数のフック１４を更に含む。フック１４は、袋体を掛け付けることができるように、座体セット１の底部に設けられる。これにより、使用者は、本発明をキャンプや登山等の野外活動における簡易トイレとして用いることができる。袋体は、ビニール袋又はゴミ袋等であってもよい。使用後、袋体は容易に処理することができ、排泄物によって手や衣服等が汚れることはなく、適切な場所に持って行き捨てることができるため、生態環境の汚染を生じることはない。
【００１９】
図１及び図２に示すように、本発明に係る携帯型折り畳み便座椅子は、お年寄りや体の不自由な人が座体セット１に着座して体を洗うのに用いることができるため、自宅で滑って転倒する事故を防止することができる。体を洗った場合、体を洗い流したことで生じる汚水は、便座孔２から流出していくため、座体セット１又は股間にたまる量が減り、使用上の清潔、衛生の問題が生じることを回避することがる。また、洗い流すのが困難な体の部位（例えば股下）については、便座孔２を設けたことにより、使用者又は介護者が便座孔２から手を入れて洗うことができる。
【００２０】
痔疾患者又は痔の手術及び会陰切開を終えた人は、椅子に座る場合、従来のクッション又は空気注入式のエアクッション（浮き輪に類似）を使用することで痛みを和らげることができるが、肛門や会陰部が椅子表面に接触することを完全には回避することができないため、不快感や蒸れを感じることになる。図１及び図２に示すように、本実施例において、前述の使用者が本発明に係る携帯型折り畳み便座椅子の座体セット１に着座した場合、肛門や会陰部は圧迫されることはなく、且つ便座孔２が良好な通風効果を有することから、痛みを和らげる目的を効果的に達成することができる。
【００２１】
＜第２の実施例＞
図６に示すように、第１の支持板３１及び第２の支持板３２には、警告標識シール８が更に設けられてもよい。シールの内容は、文字、記号又はそれらの組み合わせであってもよく、他の目立つ図案であってもよく、警告の効果を有するものであり、制限はない。本実施例において、警告標識シール８は、車両故障標識シールである。これにより、車両の故障又はその他の緊急な状況により車を運転することができなくなった場合、素早く組み立てることの可能な本発明に係る携帯型折り畳み便座椅子を、車両故障標識の補助器具として合わせて使用することができる。即ち、本発明に係る携帯型折り畳み便座椅子を、まず、車両後方の適切な距離離れた位置に置き、その後、車両故障標識を立てることで、前方に故障車両があることをいち早く警告すると共に、後方車両に対して減速して回避するよう注意を促すことができる。
【００２２】
＜第３の実施例＞
図７に示すように、本発明に係る携帯型折り畳み便座椅子は、その高さも下げることができる。即ち、支持板セット３（第１の支持板３１及び第２の支持板３２を含む）及び側板セット４（第１の側板４１及び第２の側板４２を含む）の高さを縮減することで、座体セット１の水平高度を下げることができる。本実施例は、本発明に係る携帯型折り畳み便座椅子を、自動車のシートに置いて使用するものである。また、本発明に係る携帯型折り畳み便座椅子は、トレイ９を更に含んでもよい。トレイ９は、支持板セット３及び側板セット４の下方に設けることができる。本発明に係る携帯型折り畳み便座椅子のフック１４に袋体が掛け付けられ、使用者が簡易トイレとして使用する場合は、袋体から漏れ出た排泄物を受け止めて自動車内部の空間や座席が汚れることを回避できるよう、トレイ９は袋体の下方に位置する。また、トレイ９には、本発明に係る携帯型折り畳み便座椅子によって自動車のシートが破損することを防止する機能もある。図８に示すように、本発明に係る携帯型折り畳み便座椅子のフック１４には、袋体１０を掛け付けることができる。袋体１０は、ジッパー付袋であり、排泄物を密封することができる。
【００２３】
以上は、本発明の好ましい実施例に過ぎず、本発明の保護範囲を限定するものではない。従って、本発明の明細書及び図面の内容を応用することでなされた等価の変更は、いずれも本発明の権利保護範囲内に含まれる。
【符号の説明】
【００２４】
１  座体セット
１１  第１の座体
１２  第２の座体
１３  係合溝
１４  フック
２  便座孔
２１  着座部
３  支持板セット
３１  第１の支持板
３２  第２の支持板
４  側板セット
４１  第１の側板
４２  第２の側板
４３  凸部
５  枢支接続体
５１  凸軸
６  枢支接続溝
６１  軸孔
７  滑り止め構造
８  警告標識シール
９  トレイ
１０  袋
【図１】
2015123370.tif 000003
【図２】
2015123370.tif 000004
【図３】
2015123370.tif 000005
【図４】
2015123370.tif 000006
【図５】
2015123370.tif 000007
【図６】
2015123370.tif 000008
【図７】
2015123370.tif 000009
【図８】
2015123370.tif 000010